(57)【特許請求の範囲】
【請求項１】
共通のＭＭエリアを用いる一方で個別のコアネットワークＣＮレベルＭＭエンティティを有する異なるアクセスシステム間での移動をサポートするシステムアーキテクチャにおける移動管理ＭＭのための方法であって、
・前記アクセスシステムのうち、無線アクセスネットワークＲＡＮから見るとそれが非無線接続状態にあるがＣＮレベルＭＭエンティティからは接続状態に見える第１のアクセスシステムのカバレッジから、前記アクセスシステムのうち、第２のアクセスシステムのＣＮレベルＭＭエンティティから見るとそれがアイドル状態にある前記第２のアクセスシステムのカバレッジへ、ユーザ機器ＵＥが離れるとき、前記ＵＥは、前記第１のアクセスシステム上でその無線シグナリング接続を解放し、それにより前記ＵＥが前記第１のアクセスシステムのＣＮレベルＭＭエンティティから見るとアイドル状態になるようにするステップ
を備える方法。
【請求項２】
共通のＭＭエリアを用いる一方で個別のコアネットワークＣＮレベルＭＭエンティティを有する異なるアクセスシステム間での移動をサポートするシステムアーキテクチャにおける移動管理ＭＭのための方法であって、
・前記アクセスシステムのうち、無線アクセスネットワークＲＡＮから見るとそれが非無線接続状態にあるがＣＮレベルＭＭエンティティからは接続状態に見える第１のアクセスシステムのカバレッジから、前記アクセスシステムのうち、第２のアクセスシステムのＣＮレベルＭＭエンティティから見るとそれがアイドル状態にある前記第２のアクセスシステムのカバレッジへ、ユーザ機器ＵＥが離れるとき、前記ＵＥを前記第１のアクセスシステムのＣＮレベルＭＭエンティティから見るとアイドル状態になるようにするステップ、
・前記ＵＥが前記第１のアクセスシステムのカバレッジを離れるとき、前記ＵＥが前記第２のアクセスシステムのＣＮレベルＭＭエンティティに向けて位置アップデートを発行する、ステップ、
・当該位置アップデートに基づいて、前記第２のアクセスシステムのＣＮレベルＭＭエンティティが前記第１のアクセスシステムのＣＮレベルＭＭエンティティを前記ＵＥの移動状態でアップデートする、ステップ、
・当該アップデートに基づいて、前記第１のアクセスシステムのＣＮレベルＭＭエンティティが無線シグナリング接続を解放し、これにより前記ＵＥを前記第１のアクセスシステムのＣＮレベルＭＭエンティティから見るとアイドル状態になるようにするステップ
を備える方法。
【請求項３】
請求項１又は２に記載の方法において、前記第１のアクセスシステムがレガシー３Ｇシステムに対応する方法。
【請求項４】
請求項１から３いずれか一項に記載の方法において、前記第２のアクセスシステムがＬＴＥシステムに対応する方法。
【請求項５】
請求項１から４いずれか一項に記載の方法において、前記非無線接続状態がＵＲＡ＿ＰＣＨ状態に対応する方法。
【請求項６】
共通のＭＭエリアを用いるが個別のコアネットワークＣＮレベルＭＭエンティティを有する異なるアクセスシステム間での移動をサポートするシステムアーキテクチャのためのユーザ機器ＵＥであって、
・前記アクセスシステムのうち、無線アクセスネットワークＲＡＮから見るとそれが非無線接続状態にあるがＣＮレベルＭＭエンティティからは接続状態に見える第１のアクセスシステムのカバレッジから、前記アクセスシステムのうち、第２のアクセスシステムのＣＮレベルＭＭエンティティから見るとそれがアイドル状態にある前記第２のアクセスシステムのカバレッジへ、前記ＵＥが離れるとき、前記第１のアクセスシステム上でその無線シグナリング接続を解放し、それにより前記ＵＥを前記第１のアクセスシステムのＣＮレベルＭＭエンティティから見るとアイドル状態になるようにする手段
を備えるユーザ機器ＵＥ。
【請求項７】
共通のＭＭエリアを用いるが個別のコアネットワークＣＮレベルＭＭエンティティを有する異なるアクセスシステム間での移動をサポートするシステムアーキテクチャのためのユーザ機器ＵＥであって、
・前記アクセスシステムのうち、無線アクセスネットワークＲＡＮから見るとそれが非無線接続状態にあるがＣＮレベルＭＭエンティティからは接続状態に見える第１のアクセスシステムのカバレッジから、前記アクセスシステムのうち、第２のアクセスシステムのＣＮレベルＭＭエンティティから見るとアイドル状態にある前記第２のアクセスシステムのカバレッジへ、前記ＵＥが離れるとき、前記第２のアクセスシステムのＣＮレベルＭＭエンティティに向けて位置アップデートを発行する手段
を備えるユーザ機器ＵＥ。
【請求項８】
請求項６又は７に記載の方法において、前記第１のアクセスシステムがレガシー３Ｇシステムに対応する、ユーザ機器ＵＥ。
【請求項９】
請求項６から８いずれか一項に記載の方法において、前記第２のアクセスシステムがＬＴＥシステムに対応する、ユーザ機器ＵＥ。
【請求項１０】
請求項６から９いずれか一項に記載の方法において、前記非無線接続状態がＵＲＡ＿ＰＣＨ状態に対応する、ユーザ機器ＵＥ。
【請求項１１】
共通のＭＭエリアを用いるが個別のコアネットワークＣＮレベルＭＭエンティティを有する第１及び第２のアクセスシステムを含む異なるシステム間での移動をサポートするシステムアーキテクチャにおける第１のアクセスシステムのコアネットワークＣＮレベル移動管理ＭＭエンティティであって
・前記第２のアクセスシステムに関連付けられたＣＮレベルＭＭエンティティから受信された移動状態アップデートに基づいて、同様に無線アクセスネットワークＲＡＮから見るとそれが非無線接続状態にあるがＣＮレベルＭＭエンティティから見るとアイドル状態にある前記第１のアクセスシステムのカバレッジから、ＣＮレベルＭＭエンティティから見るとそれがアイドル状態にある前記第２のアクセスシステムのカバレッジへ、前記ＵＥが離れるときに該ＵＥによって発行された位置アップデートに基づいてＵＥシグナリング接続を解放し、前記ＵＥを第１のアクセスシステムのＣＮレベルＭＭエンティティから見るとアイドル状態となるようにする手段
を備えるエンティティ。
【請求項１２】
共通のＭＭエリアを用いるが個別のコアネットワークＣＮレベルＭＭエンティティを有する第１及び第２のアクセスシステムを含む異なるシステム間での移動をサポートするシステムアーキテクチャにおける第２のアクセスシステムに関連付けられたコアネットワークＣＮレベル移動管理ＭＭエンティティであって、
・無線アクセスネットワークＲＡＮから見るとそれが非無線接続状態にあるがＣＮレベルＭＭエンティティから見ると接続状態にある前記第１のアクセスシステムのカバレッジから、前記第２のアクセスシステムのＣＮレベルＭＭエンティティから見るとそれがアイドル状態にある第２のアクセスシステムのカバレッジへ、前記ＵＥが離れるときに該ＵＥによって発行された位置アップデートに基づいて、前記第１のアクセスシステムに関連付けられたＣＮレベルＭＭエンティティを前記ＵＥの移動状態でアップデートする手段
を備えるエンティティ。
【請求項１３】
請求項１１又は１２に記載のコアネットワークＣＮレベル移動管理ＭＭエンティティにおいて、前記第１のアクセスシステムがレガシー３Ｇシステムに対応する、エンティティ。
【請求項１４】
請求項１１から１３いずれか一項に記載のコアネットワークＣＮレベル移動管理ＭＭエンティティにおいて、前記第２のアクセスシステムがＬＴＥシステムに対応する、エンティティ。
【請求項１５】
請求項１１から１４いずれか一項に記載のコアネットワークＣＮレベル移動管理ＭＭエンティティにおいて、前記非無線接続状態がＵＲＡ＿ＰＣＨ状態に対応する、エンティティ。
【発明の詳細な説明】
【技術分野】
【０００１】
本発明は概略として移動体通信システムに関する。
【背景技術】
【０００２】
移動体通信システムの詳細な説明は、特に、３ＧＰＰ（第３世代パートナーシッププロジェクト）のような規格団体によって発行された技術規格における文章にある。
【０００３】
そのようなシステムでは、移動体端末又はユーザ機器（ＵＥ）は、特に無線アクセスネットワーク（ＲＡＮ）のようなアクセスネットワーク（ＡＮ）を介したコアネットワーク（ＣＮ）によって提供される移動体サービスへのアクセスを持つ。
【０００４】
特にＰＳベースのサービス（ＰＳはパケット交換の略である）及びＩＰベースのサービス（ＩＰはインターネットプロトコルの略である）のような異なるタイプの移動体サービスがある。従って、コアネットワークＣＮは、特にＰＳドメイン及びオペレータのＩＰネットワークのような異なるドメイン及び／又はサブシステムからなる。特に、ＵＥは、無線アクセスネットワークＲＡＮ及びＩＰ接続を提供するコアネットワークＰＳドメインを備えるアクセスネットワークＡＮを介してオペレータのＩＰネットワークによって提供されるＩＰベースのサービスへのアクセスを持つ。
【０００５】
既存又は旧来のシステムは、特に３Ｇ（第３世代）システムを含む。典型的な例はＵＭＴＳ（ユニバーサル移動体通信システム）であり、ＵＴＲＡＮ（ＵＭＴＳ地上無線アクセスネットワーク）といわれるＲＡＮ、及びＧＰＲＳパケットコアネットワーク（ＧＰＲＳは汎用パケット無線サービスの略である）を含む。
【０００６】
現在では、向上した性能を持つ次世代又は進化したシステムへの革新がある。典型的な例は３Ｇ＿ＬＴＥ（ロング・ターム・エボリューション）であり、進化したＲＡＮといわれるＲＡＮ、及び進化したパケットコアネットワークといわれるＣＮを含む。
【０００７】
移動管理（ＭＭ）はこのようなシステムでは重要な問題である。特に位置アップデート機能及びページング機能のような異なるＭＭ機能が存在し、そのような機能の目的はＵＥとネットワークの間にアクティブな無線接続がないときであってもユーザ機器ＵＥが到達されることを保障することである。
【０００８】
旧来のシステム、進化したシステムとも、ＭＭ機能は、３Ｇ旧システムにおける旧ＭＭＥ（例えば、サービングＧＰＲＳサポートノードＳＧＳＮ）又は３Ｇ＿ＬＴＥシステムにおけるＬＴＥ＿ＭＭＥのようなＣＮレベルＭＭエンティティ（ＭＭＥ）とＵＥとの間ではＣＮレベルで実行される。ＰＳ接続については、特に、例えばレガシー２．５Ｇ＿ＧＰＲＳシステム（ＰＭＭはパケット移動管理の略である）について規定される以下のＰＭＭ状態を含む異なるＭＭ状態が定義されている。ＰＭＭ接続状態（パケットシグナリング接続がＵＥとＣＮの間で確立される場合）では、ＣＮはＵＥの位置をセルの精度で知得する。ＰＭＭアイドル状態（ＵＥとＣＮの間にパケットシグナリング接続が存在しない場合）では、ＣＮはＵＥの位置をルーティングエリア（ＲＡ）の精度で知得する。ＵＥはそのＲＡが変化するとＲＡアップデートを実行する。パケット接続の十分な活動がない場合には、ＵＥはＰＭＭ接続状態からＰＭＭアイドル状態に移行することになる。ＰＭＭアイドル状態においてＵＥへのダウンリンク上で再び何らかの活動があると、パケット接続を再活性化するためにＵＥのページングが必要となる。ページングは、ＵＥが位置するとして知られている、即ち、登録されている最後のルーティングエリア（ＲＡ）上で実行される。
【０００９】
特にＵＭＴＳのような３Ｇ旧システムでは、ＣＮは、特にＵＭＴＳに対するＵＴＲＡＮ（ＵＴＲＡＮはＵＭＴＳ地上無線アクセスネットワークの略である）レベルのようなＲＡＮレベルで実行され得る幾つかのＭＭ機能から解放される。ＰＳ接続については、特に、例えばＵＴＲＡＮレベルのＭＭについて規定される以下の状態を含む異なるＭＭ状態が定義されている。無線ベアラがＵＥとＵＴＲＡＮの間で確立された状態――以下、無線接続状態という――では、ＵＴＲＡＮはＵＥの位置をセルの精度で知得する。ＵＥとＵＴＲＡＮの間で無線ベアラが確立されていないがＵＥとＵＴＲＡＮの間にシグナリング接続又はシグナリング無線ベアラが確立されている状態――以下、非無線接続ＵＲＡ−ＰＣＨ状態という（ＵＲＡはＵＴＲＡＮ登録エリア、ＰＣＨはページングチャネルの略である）――では、ＵＴＲＡＮはＵＥの位置をＵＲＡの精度で知得する。ＵＥはそのＵＲＡが変化するとＵＲＡアップデートを実行する。この接続上に十分な活動がなく、セルのアップデートがあまりにも頻繁に起こるようなユーザ移動がある場合、ＵＥは無線接続状態から非無線接続ＵＲＡＰＣＨ状態に移行することになる。ＵＲＡ−ＰＣＨ状態においてＵＥへのダウンリンク上で再び何らかの活動があると、無線接続を再活性化するためにページングが必要となる。ページングは、ＵＥが位置するとして知られている、即ち、登録されている最後のＵＲＡ上で実行される。非無線接続ＵＲＡ−ＰＣＨ状態は、ＵＴＲＡＮからそう見えるように、ＣＮからはＰＭＭ接続状態として見える。ＲＲＣアイドルモードといわれるモード（ＲＲＣは無線リソース制御の略である）では、ＵＥとＵＴＲＡＮの間に無線ベアラ及びシグナリング無線ベアラは確立されない。ＵＴＲＡＮから見えるＲＲＣアイドルモードはＣＮからはＰＰＭアイドル状態として見える。
【００１０】
本発明は、より具体的には、特に旧来（レガシー）及び進化したアクセスシステムのような種々のアクセスシステム間の移動をサポートするシステムアーキテクチャにおけるＭＭに関し、特にＩＰベースのサービスを種々のＩＰ接続アクセスネットワークによって提供することを可能とする。
【００１１】
ＬＴＥとレガシーアクセスシステムの間の移動をサポートするシステムアーキテクチャの一例を図１に示す。
【００１２】
図１に示すアーキテクチャは、
−  マルチモード（レガシー／ＬＴＥ）ユーザ機器（ＵＥ）、
−  無線ネットワークコントローラ（ＲＣＮ）及びレガシー基地局、即ち、レガシーノードＢ（例示ではレガシーノードＢ１、レガシーノードＢ２、レガシーノードＢ３等）を含む、例えば、ＵＴＲＡＮ（ＵＭＴＳ地上アクセスネットワーク）のようなレガシー３Ｇ無線アクセスネットワーク、
−  ＬＴＥ基地局、即ち、ＬＴＥノードＢ（例示ではＬＴＥノードＢ４及びＬＴＥノードＢ５等）を含む、例えば、Ｅ−ＵＴＲＡＮのようなＬＴＥ無線アクセスネットワーク、
−  レガシー移動管理エンティティ（レガシーＭＭＥ）、
−  ＬＴＥ移動管理エンティティ（ＬＴＥ＿ＭＭＥ）、
−  一方のアクセスシステム（レガシー及び／又はＬＴＥ）と他方の外部ＩＰネットワーク（不図示）の間の相互接続を提供するゲートウェイＳＡＥＧＷ
を備える。
【００１３】
このアーキテクチャの例では、ＬＴＥ技術とレガシー技術の間のネットワークインフラ内（コアネットワークＣＮと無線アクセスネットワークの両方）での結合を可能な限り緩めている。個別の無線エンティティ及びコアネットワークレベルの移動を扱う個別のエンティティが存在する。レガシー技術とＬＴＥ技術の間の結合は、
・ＬＴＥカバレッジ上でのコアネットワークレベルの移動を扱うＬＴＥ−ＭＭＥエンティティとレガシーカバレッジ上でのコアネットワークレベルの移動を扱うレガシーＭＭＥエンティティの間のシグナリング通信チャネル
・ゲートウェイＳＡＥＧＷ
によって提供されるだけである。
【００１４】
アイドルモードでは、レガシーＭＭＥ（他方、ＬＴＥ＿ＭＭＥ）はＵＴの位置をルーティングエリア（ＲＡ）（他方、トラッキングエリア（ＴＡ））の精度で知得する。ＵＥはそのＲＡ（他方、ＴＡ）が変化するとＲＡ（他方、ＴＡ）のアップデートを実行する。ページングはＵＴが登録された最後のＲＡ（他方、ＴＡ）上で実行される。
【００１５】
ＵＥがページングされるエリアは一般にページングエリア（ＰＡ）といわれる。ＰＡはシーケンシャルなページングが使用される場合にＲＡ（他方、ＴＡ）の一部となり得る。
【００１６】
ＬＴＥとレガシーアクセスシステムの間の移動をサポートするアーキテクチャでは、例えば図１に示す一例のように、アイドルモード移動に起因してシグナリングの量を制限する（特にホームロケーションレジスタ（ＨＬＲ）のような加入者データベースへ向けた位置アップデートメッセージを最小化する）ために等価ＲＡ又はＴＡ（即ち、等価又は共通ページングエリア）の概念を用いることができる。等価ページングエリアはＲＡのセット及びＴＡのセットで構成される。この概念があれば、ＵＥは各カバレッジに同時に結び付けられ、即ち、レガシーＭＭＥ及びＬＴＥ＿ＭＭＥの両方に「結び付けられる」（登録される）。ＵＥがＬＴＥアイドル状態とＲＲＣアイドルモード即ちＵＲＡ−ＰＣＨ状態の間を移るとき、新たなセルが等価ＲＡ又はＴＡのセットの１つの中にある限り、ＵＥはネットワークへのシグナリングを行わない。図１の例では、ＴＡ１及びＲＡ１が同じ等価エリア内にある。
【００１７】
本発明は、レガシーシステムとＬＴＥシステムの間の移動をサポートするとともに等価又は共通ＭＭエリア（特に共通ページングエリア）の概念を用いるアーキテクチャ（例えば図１に示されるもの等）における入来ダウンリンクトラフィックについてＵＥをページングするために問題が起こることを認識している。そのような問題は例えば以下のように説明できる。
【００１８】
例えば図１に示すようなアーキテクチャでは、ＵＥはＬＴＥ及びレガシーカバレッジ双方において以下の表に示すいずれかの状態となる（重要な状態のみがこの表に示される）。
【表１】
0005491380.tif 000002
（＊）無線ベアラ接続が確立されないときは入来トラフィックを配信するためにＵＥをページングすることが必要となる。
（＊＊）ＭＭＥから見える状態が接続状態であるときは無線シグナリング接続がＵＥと確立される。
【００１９】
ＵＥが一方のカバレッジで無線接続状態にあるときは、コアネットワーク（他方のカバレッジではＳＡＥＧＷ＋ＭＭＥ）が他方のカバレッジでパケットの送信を試みることを防止する（他方の無線カバレッジでページングすることを防止する）ことに問題はない。
【００２０】
ＵＥが両カバレッジでアイドルモードにあるときも、ページングが両無線カバレッジ上で送信されることが必要となることに問題はない。
【００２１】
ＵＥがレガシー３Ｇカバレッジ上でＵＲＡ−ＰＣＨのような非無線接続状態にあり、ＬＴＥカバレッジ上でアイドルモードにあるときに問題が起こる。
【００２２】
図１に示す例では、ＲＡ１  ＵＲＡ内にＵＲＡゾーンがある。ルーティングエリア１（ＲＡ１）内のＵＭＴＳのＵＲＡゾーンとＬＴＥトラッキングエリア１（ＴＡ１）の間でＵＥが非アクティブモードでローミングするときに問題が起こる。レガシーＭＭＥはＵＲＡゾーンを管理するＲＮＣとのベアラ接続を有し、ＬＴＥのＭＭＥはＬＴＥノードＢのいずれともベアラ接続を有しない。
【００２３】
ＵＥが（そのバッテリを保護することを目的として）、無線ベアラがこのＵＥについて確立されないＵＲＡ＿ＰＣＨのような状態にあるとき、入着パケットを無線でＵＥに送信するのに必要な無線ベアラを（再）確立するためにＵＥをページングする必要がある。
【００２４】
一般に、ページングメカニズムは以下でなければならない。
・可能な限り速いこと（一方のカバレッジ（ＬＴＥ／レガシー）でのページングの失敗を待ってから他のカバレッジ（レガシー／ＬＴＥ）をページングすることを開始することを回避する）、
・効率が良いこと、即ち、これが有用でないことが既知となり得るときに両カバレッジ（ＬＴＥ／レガシー）でのページングを回避する
【００２５】
また、一般的な考えとして、レガシーＭＭＥエンティティをＬＴＥの導入に従って修正することは可能ではあるが（ネットワークには少しのレガシーＭＭＥエンティティしか配備されておらず、それらは非常に限られた数の製造業者によってしか提供されない）、レガシー無線エンティティへの修正は最後の解決手段として検討されるべきである（非常に多くのノード及び製造業者が関与することになる）。
【００２６】
上述の問題を解決するための第１の対策は以下のようになる。
【００２７】
ＳＡＥＧＷは（ユーザの状態にかかわらず）ダウンリンク（ＤＬ）トラフィックをＬＴＥ−ＭＭＥ及びレガシーＭＭＥ双方に向けてシステマティックにブロードキャストすればよい。
【００２８】
しかし、ＵＥが一方のカバレッジ上で無線接続状態にあるとき（即ち、実際のトラフィックがあるとき）、以下のような重大な欠点がある。それは、
・トラフィックがＣＮにわたって二重化されてしまう（ＵＥが無線接続状態にないカバレッジへの経路上で不要な帯域幅コアを消費してしまう）、及び
・ＵＥが無線接続状態にない（及び移動体が決定的なリッスンを行っていない）カバレッジ上で無用なページングが発生してしまう
ことである。
【００２９】
ＵＥが実際に無線接続状態にあるときにもダウンリンク（ＤＬ）トラフィックはＬＴＥ−ＭＭＥ及びレガシーＭＭＥの両方にブロードキャストされるので、各ユーザパケットについてリソースの浪費となるこの無用なコアネットワーク帯域幅の消費及びページングが発生してしまう。
【００３０】
上述の問題を解決するための第２の対策は以下のようになる。
【００３１】
ＵＥがＣＮ（ＳＡＥＧＷ）からは接続モードにあるものとして見えるカバレッジのみにトラフィックが送信されればよい。
【００３２】
しかし、問題は、ＵＥがＵＲＡ−ＰＣＨ状態にあると、ＣＮはＵＥが接続モードにありレガシーカバレッジをリッスンしていると思うが、実際にはＵＥはＬＴＥセル上に存続しているかもしれないということである。
【００３３】
言い換えると、レガシー３ＧカバレッジでＵＲＡ＿ＰＣＨ状態にあるＵＥは（ＵＲＡを含むＲＡ及びＴＡが等価な場合）ＬＴＥカバレッジに静かに移動し、それによってＬＴＥに存続する。問題は、等価ページングエリア全てのＵＥをページングする役割のコアネットワーク（レガシーＭＭＥ＋ＬＴＥ＿ＭＭＥ）は移動体がレガシーカバレッジ上で決定的に到達可能であると思っていても、実際にはＵＥはＬＴＥカバレッジ上に存続しているかもしれないという事実から起こる。
【００３４】
これは、ＵＥを（反復して）ページングし、（ＵＥがＬＴＥカバレッジに移動したので）応答しないＵＥからの応答を何回か待つ必要があり、そしてＵＥが到達できないレガシー−ＬＴＥに警告する（ＵＥをレガシーＭＭＥから見るとアイドルモードになるようにする）だけのレガシー無線部にＣＮからダウンリンクパケットが送信されることを意味する。この代替においてのみ、ＬＴＥカバレッジ上でＵＥをページングすることが試行され得る。この対策は機能し、多過ぎる無用なページングを含まないが（この状況において到着する最初のパケットに対してのみ）、この最初のパケットが新たなコールの誘導である可能性があるので、受け入れられないことになるかもしれないこの最初のダウンリンクパケットの転送について余計な遅延をもたらす。
【００３５】
上述の問題を解決する第３の対策は以下のようになる。
【００３６】
ＵＥをＵＲＡ−ＰＣＨ状態にしたとき、コアネットワークＣＮが両カバレッジ上でページングすることを試みる状況で、レガシー無線アクセスネットワークはコアネットワークＣＮを警告する。これはページングを最適化するが、レガシーＲＡＮからの修正を必要とし、全く望ましいことではない。
【００３７】
従って、上述の対策のいずれも満足のいくものではなく、次の、ＵＥが（レガシー３Ｇにわたって）ＵＲＡ−ＰＣＨ状態にあり、かつ、アイドルモードであってもＬＴＥカバレッジ上で存続する、という組合せの状態にあるＵＥへ向けてダウンリンク入来トラフィックにページングを効率的に扱う必要がある。この問題はコアネットワークによって認識される移動状態と（ＬＴＥカバレッジ上で存続する）ＵＥの実際の状態との相違から起こる。
【発明の概要】
【課題を解決するための手段】
【００３８】
本発明は特に上述の問題の一部若しくは全部を解決し、又は上述の欠点の一部若しくは全部を回避することを可能とする。より一般的には、本発明の課題は、特にレガシー３ＧのＵＭＴＳと進化したアクセスシステムのような種々のアクセスシステム間での移動をサポートするアーキテクチャにおけるＭＭを改善することである。
【００３９】
これらの及び他の課題が、本発明の一側面として、共通のＭＭエリアを用いる一方で個別のコアネットワークＣＮレベルＭＭエンティティを有する異なるアクセスシステム間での移動をサポートするシステムアーキテクチャにおける移動管理ＭＭのための方法によって達成され、当該方法は、
−  上記アクセスシステムのうち、無線アクセスネットワークＲＡＮから見るとそれ（ＵＥ）が非無線接続状態にあるがＣＮレベルＭＭエンティティからは接続状態に見える第１のアクセスシステムのカバレッジからユーザ機器ＵＥが離れるとき、上記アクセスシステムのうち、ＣＮレベルＭＭエンティティから見るとそれ（ＵＥ）がアイドル状態にある第２のアクセスシステムのカバレッジについて、ＵＥを上記第１のアクセスシステムのＣＮレベルＭＭエンティティから見るとアイドル状態になるようにするステップを備える。
【００４０】
一例では、上記方法は、
−  ＵＥが第１のアクセスシステムのカバレッジから離れるとき、ＵＳは上記第１のアクセスシステム上でその無線シグナリング接続を解放し、これによりＵＥを第１のアクセスシステムのＣＮレベルＭＭエンティティから見るとアイドル状態になるようにするステップを備える。
【００４１】
他の例では、上記方法は、
−  ＵＥが第１のアクセスシステムのカバレッジを離れるとき、ＵＥは第２のアクセスシステムのＣＮレベルＭＭエンティティに向けて位置アップデートを発行する、ステップ、
−  この位置アップデートに基づいて、第２のアクセスシステムのＣＮレベルＭＭエンティティが第１のアクセスシステムのＣＮレベルＭＭエンティティをＵＥの移動状態でアップデートする、ステップ、
−  このアップデートに基づいて、第１のアクセスシステムのＣＮレベルＭＭエンティティはＵＥシグナリング無線接続を解放し、これによりＵＥを第１のアクセスシステムのＣＮレベルＭＭエンティティから見るとアイドル状態になるようにするステップ
を備える。
【００４２】
一例では、上記第１のアクセスシステムはレガシー３Ｇシステムに対応する。
【００４３】
一例では、上記第２のアクセスシステムはＬＴＥシステムに対応する。
【００４４】
一例では、上記非無線接続状態はＵＲＡ＿ＰＣＨ状態に対応する。
【００４５】
これらの及び他の課題が、本発明の他の側面において、本発明による方法を実行するための移動体端末又はユーザ機器（ＵＥ）によって、及びアクセスシステムエンティティ、特にＣＮレベルレガシーＭＭエンティティ（レガシーＭＭＥ）及びＣＮレベルＬＴＥのＭＭエンティティ（ＬＴＥ＿ＭＭＥ）のような特に移動管理ＭＭの役割を担うエンティティによって達成される。
【００４６】
本発明の他の側面はそれゆえ、共通のＭＭエリアを用いるが個別のコアネットワークＣＮレベルＭＭエンティティを有する異なるアクセスシステム間での移動をサポートするシステムアーキテクチャのためのユーザ機器ＵＥであり、当該ＵＥは、
−  上記アクセスシステムのうち、無線アクセスネットワークＲＡＮから見るとそれ（ＵＥ）が非無線接続状態にあるがＣＮレベルＭＭエンティティからは接続状態に見える第１のアクセスシステムのカバレッジからＵＥが離れるとき、上記アクセスシステムのうち、ＣＮレベルＭＭエンティティから見るとそれ（ＵＥ）がアイドル状態にある第２のアクセスシステムのカバレッジについて、上記第１のアクセスシステム上でその無線シグナリング接続を解放し、それによりＵＥを上記第１のアクセスシステムのＣＮレベルＭＭエンティティから見るとアイドル状態になるようにする手段を備える。
【００４７】
本発明の他の側面はそれゆえ、共通のＭＭエリアを用いるが個別のコアネットワークＣＮレベルＭＭエンティティを有する異なるアクセスシステム間での移動をサポートするシステムアーキテクチャのためのユーザ機器ＵＥであり、当該ＵＥは、
−  上記アクセスシステムのうち、無線アクセスネットワークＲＡＮから見るとそれ（ＵＥ）が非無線接続状態にあるがＣＮレベルＭＭエンティティからは接続状態に見える第１のアクセスシステムのカバレッジからＵＥが離れるとき、上記アクセスシステムのうち、ＣＮレベルＭＭエンティティから見るとそれ（ＵＥ）がアイドル状態にある第２のアクセスシステムのカバレッジについて、第２のアクセスシステムのＣＮレベルＭＭエンティティに向けて位置アップデートを発行する手段を備える。
【００４８】
本発明の他の側面はそれゆえ、共通のＭＭエリアを用いるが個別のコアネットワークＣＮレベルＭＭエンティティを有する第１及び第２のアクセスシステムを含む異なるシステム間での移動をサポートするシステムアーキテクチャにおける第１のアクセスシステムのコアネットワークＣＮレベル移動管理ＭＭエンティティであり、当該エンティティは、
−  第２のアクセスシステムに関連付けられたＣＮレベルＭＭエンティティから受信された移動状態アップデートに基づいて、同様に、無線アクセスネットワークＲＡＮから見るとそれ（ＵＥ）が非無線接続状態にあるがＣＮレベルＭＭエンティティから見るとアイドル状態にある第１のアクセスシステムのカバレッジからＵＥが離れるときにＵＥによって発行された位置アップデートに基づいて、ＵＥシグナリング接続を解放し、ＣＮレベルＭＭエンティティから見るとそれ（ＵＥ）がアイドル状態にある第２のアクセスシステムのカバレッジについて、ＵＥを第１のアクセスシステムのＣＮレベルＭＭエンティティから見るとアイドル状態となるようにする手段を備える。
【００４９】
本発明の他の側面はそれゆえ、共通のＭＭエリアを用いるが個別のコアネットワークＣＮレベルＭＭエンティティを有する第１及び第２のアクセスシステムを含む異なるシステム間での移動をサポートするシステムアーキテクチャにおける第２のアクセスシステムに関連付けられたコアネットワークＣＮレベル移動管理ＭＭエンティティであり、当該エンティティは、
−  無線アクセスネットワークＲＡＮから見るとそれ（ＵＥ）が非無線接続状態にあるがＣＮレベルＭＭエンティティから見ると接続状態にある第１のアクセスシステムのカバレッジからＵＥが離れるときにＵＥによって発行された位置アップデートに基づいて、第２のアクセスシステムのＣＮレベルＭＭエンティティから見るとそれ（ＵＥ）がアイドル状態にある第２のアクセスシステムのカバレッジについて、第１のアクセスシステムに関連付けられたＣＮレベルＭＭエンティティをＵＥの移動状態でアップデートする手段を備える。
【００５０】
本発明のこれらの及び他の課題は添付図面との関連で以降の詳細な説明からより明らかなものとなる。
【図面の簡単な説明】
【００５１】
【図１】図１は本発明が適用するシステムアーキテクチャの一例を示すものである。
【図２】図２は本発明による方法の一例を示すものである。
【図３】図３は本発明による方法の他の例を示すものである。
【発明を実施するための形態】
【００５２】
本発明は以下のように説明して図１に示すシステムアーキテクチャの例に基づいて簡略化することができる。
【００５３】
この例では、本発明は、上述の問題を解決する方法は、ＵＲＡ−ＰＣＨ状態にあった３ＧレガシーカバレッジからＵＥが離れるときに、ＵＲＡ−ＰＣＨ状態がこのＵＥのためのレガシー無線上で解放されるようにして、ＣＮからこのＵＥをアイドルモードにすることである。
【００５４】
ＵＥがＵＲＡ−ＰＣＨ状態にあった場合、ＵＥが３Ｇレガシーカバレッジから離れてＬＴＥカバレッジに向かうときには２つの潜在的な状況がある。それは、
・ＵＥが未だに３Ｇ無線部と接触できる。この場合、解決手段は、図２の１で示すようなＵＥがＬＴＥに向かう前に無線シグナリング接続を３Ｇ上に解放し、それによって無線上で及びＣＮ上で移動状態を調整することである（双方ともアイドルにセットされる）。
・十分な３Ｇ無線カバレッジがない。この場合、解決手段は、図３の２で示すようなＵＥがＬＴＥ−ＭＭＥに向かってトラッキングエリアアップデートを発行することである。このトラッキングエリアアップデートに基づいて、図３の３で示すようなＬＴＥ−ＭＭＥはレガシーＭＭＥをＵＥの移動状態でアップデートする。レガシー上で未だ接続状態にあるとみなされているＵＥについてのＬＴＥ−ＭＭＥから移動状態のアップデートを受信することによって、このＵＥについての図３の４に示すような無線レガシー接続を解放し、ＵＥをレガシーカバレッジに対して正しい状態（アイドル）にする。
【００５５】
ＵＥのこの挙動に基づいて、デュアルモード（ＬＴＥ−レガシー）ＵＥは、
１．効果的に存続する単一のカバレッジ上で接続モードにある、又は
２．両カバレッジのいずれかでアイドルモードにある
ことになる。
【００５６】
ＤＬ入着パケットがあるとき、
１．前者の場合、ＣＮはパケット（及びＵＥが実際にＵＲＡ−ＰＣＨ状態にある場合には潜在的に含まれるページング）を単一の無線カバレッジ上で送信することができる。
２．後者の場合、ＣＮは両カバレッジ上でページングをしなければならない。
【００５７】
この場合、ネットワークがＵＥを起動する必要があるとき（即ち、ＵＥに送信されるべきまさに最初のパケットについて）のみ２つのカバレッジ上でページングが行われるので、多過ぎるページングは存在しない。
【００５８】
異なるアクセスシステム間で移動をサポートするシステムアーキテクチャにおける移動管理ＭＭのための方法（例えば、上記に開示の方法）に加えて、本発明は、その課題に対して、本発明による方法を実行するための移動体端末、即ち、ユーザ機器（ＵＥ）、及びアクセスシステムエンティティのようなエンティティ、特にＣＮレベルレガシーＭＭエンティティ（レガシーＭＭＥ）及びＣＮレベルＬＴＥ＿ＭＭエンティティ（ＬＴＥ＿ＭＭＥ）のような移動管理ＭＭの責任を負うエンティティを有する。
【００５９】
上述の手段の詳細な実施は当業者には特に問題となることはなく、従って当業者には、そのような手段はそれらの機能によって上記に開示されたものよりも完全に開示される必要はない。
【図１】
0005491380.tif 000003
【図２】
0005491380.tif 000004
【図３】
0005491380.tif 000005